(57)【要約】【課題】携帯用音響機器などと接続されて用いるステレオイヤホンにおいて、ステレオイヤホン装着時に聞こえるコードと衣服等がこすれる際の不快音を軽減し、さらに、装着時や、装着中にイヤホン本体が容易に外れず、快適な音楽視聴環境を提供することを目的とする。【解決手段】左右一対のイヤホン本体と、携帯用音響機器などに接続するためのプラグと、イヤホン本体とプラグ間を結ぶ二股部分を有するコードと、コードの二股部分に設けられ、着脱可能な勘合部をもつ摺動可能な分離機構により構成する。【選択図】図１
2010252132.tif 000002
【特許請求の範囲】
【請求項１】
左右一対のイヤホン本体と、携帯用音響機器などに接続するためのプラグと、前記イヤホン本体と前記プラグ間を結ぶ二股部分を有するコードと、前記コードの二股部分に設けられ、着脱可能な勘合部をもつ摺動可能な分離機構を備えたステレオイヤホン。
【請求項２】
前記イヤホン本体の音導管先端にイヤーピースを配置したことを特徴とする、請求項１記載のステレオイヤホン。
【請求項３】
前記分離機構の前記勘合部は、勘合された状態で前記勘合部が可動することを特徴とする、請求項１または請求項２に記載のステレオイヤホン。
【請求項４】
前記コードの二股部分の長さＬが、
４５ｃｍ≦Ｌ≦６５ｃｍ
であることを特徴とする、請求項１から請求項３のいずれかの請求項に記載のステレオイヤホン。
【請求項５】
前記分離機構がシリコン樹脂や、塩化ビニル樹脂などエラストマーの弾性材料であることを特徴とする、請求項１から請求項４のいずれかの請求項に記載のステレオイヤホン。
【発明の詳細な説明】
【技術分野】
【０００１】
本発明は、携帯用音響機器などに用いられるステレオイヤホンに関する。
【背景技術】
【０００２】
近年、携帯用音響機器の発展に伴い、ステレオヘッドホンや、ステレオイヤホンの需要が増加している。特に筐体が小さくて軽いステレオイヤホンのうち、イヤホン本体の音導管先端にイヤーピースを配置し、耳の外耳道に音導管部分を挿入する挿入型ステレオイヤホンが急増している。
【０００３】
この挿入型ステレオイヤホンは、音導管と鼓膜間にイヤーピースが介在するため外耳道の密閉性が高く、イヤホンのドライバーユニットから発生する音が鼓膜に届くまで漏れる部分が少ない。そのため、安定した音質を提供できるという特長があり、注目されている。
また、頭に装着するためのヘッドバンドを有しないステレオイヤホンにおいて、左右のドライバーユニットと、携帯用音響機器等への接続プラグ間のコードの一部が二股となる。イヤホン本体側が自由端であるため、イヤホン不使用時に、左右のコードが絡まらないように、例えば、図８に示すような、特許文献１の一体型のコードスライダーや、図９に示すような、特許文献２の二股コード部分の途中に設けられた着脱可能な固定器具や、特許文献３のようなイヤホンの一部分を利用した着脱可能な結合器が提案されている。
【特許文献１】米国特許出願公開第２００５／０２２０３１９号明細書
【特許文献２】実開昭５９−１８７２８２号公報
【特許文献３】米国特許出願公開第２００９／００１０４７５号明細書
【発明の開示】
【発明が解決しようとする課題】
【０００４】
ステレオイヤホンでは、携帯用音響機器などと接続されているプラグからイヤホンにつながるコードが衣服等とこすれる際に発生するこすれ音が、コード、イヤホンを介して耳へ伝わり、不快音として聞えるという問題があった。
特に、挿入型ステレオイヤホンでは、音導管と鼓膜間の密閉性を、イヤーピースを用いて高めている為、コードが衣服等とこすれる際に発生するこすれ音は、非常に大きな不快音として聞えるという問題があった。
【０００５】
本発明は、前記課題を解決するためになされたものであり、ユーザーへより快適な音楽視聴環境を提供することを目的とする。
【課題を解決するための手段】
【０００６】
本発明にかかるステレオイヤホンは、左右一対のイヤホン本体と、携帯用音響機器などに接続するためのプラグと、前記イヤホン本体と前記プラグ間を結ぶ二股部分を有するコードと、前記コードの二股部分に設けられ、着脱可能な勘合部をもつ摺動可能な分離機構を備えていることを特徴とする。
【０００７】
また、前記イヤホン本体の音導管先端にイヤーピースを配置していることが好ましい。
【０００８】
また、前記分離機構の前記勘合部は、勘合された状態で前記勘合部が可動することが好ましい。
【０００９】
また、前記コードの二股部分の長さＬが、
４５ｃｍ≦Ｌ≦６５ｃｍ  （１）
であることが好ましい。
【００１０】
また、前記分離機構がシリコン樹脂や、塩化ビニル樹脂などエラストマーの弾性材料であることが好ましい。
【発明の効果】
【００１１】
本発明によれば、簡素な構造で、装着作業性も良く、コードと衣服等との摩擦による雑音を低減させることができ、装着時や装着中もイヤホン本体が外れにくいステレオイヤホンを提供することができる。
【発明を実施するための最良の形態】
【００１２】
以下、実施の形態を用いて本発明をさらに具体的に説明する。
【００１３】
図１は本発明の実施の形態におけるステレオイヤホンを示す概略図である。
【００１４】
図１に示すように、本実施の形態のステレオイヤホンは、左右一対のステレオイヤホン本体１と、イヤホン本体１内に有るスピーカーユニットの音を効率良く耳の外耳道へ導く音導管の先端に配置されたイヤーピース２と、音楽プレーヤーなどに接続するためのプラグ７と、イヤホン本体１とプラグ７の間を結ぶ二股部分を有するコード３と、コード３の二股部分に設けられた着脱可能な勘合部をもつ摺動可能な分離機構６を備えている。
【００１５】
図１には、また、プラグ７側からのコード３が二股に分かれる部分にコード分岐４と、コード分岐４と分離機構６の間に、コードスライダー５を備えている。
【００１６】
また、図２には、本発明の実施の形態におけるステレオイヤホン装着時を示している。さらに、図３には、本発明の実施の形態におけるステレオイヤホン装着直前の状態を示している。
また、図４に、コード３の二股部分に設けられた分離機構６の詳細を示しており、図４（ａ）は、勘合時の分離機構６の外観図、図４（ｂ）は、分離機構６の側面図を示している。
以下に、その説明を記す。
まず、ステレオイヤホンは、左右異なる音を再生できるように、右耳用と、左耳用のイヤホン本体１をもつ。また、イヤホン本体１は樹脂や金属、セラミックなどで形成されており、イヤホン本体１内に、音声信号に応じて振動板を駆動する電気−音響変換器であるスピーカーユニット（またはドライバーユニット）を有する。
さらに、挿入型ステレオイヤホンでは、イヤーピース２を取り付ける音導管がイヤホン本体１から凸状に飛び出しており、イヤホン本体１を耳に装着した場合、耳の外耳道に弾性のあるイヤーピース２がしっかりと挿入され、イヤーピース２が弾性変形することで、イヤーピース２の大部分が外耳道の内面に密着し、音導管と鼓膜間の外耳道の密閉性が高かめられる。そのため、イヤホン本体１内のドライバーユニットから発生する音が、鼓膜に届くまで音漏れする部分が少なく、低域から高域の音まで、損失が少ない状態でしっかりと届けられる。
また、ステレオイヤホンの場合、ヘッドホンのように、頭に装着するためのヘッドバンドなどが無いため、イヤホン本体１を耳に装着した場合、コード３が受けたこすれや振動が、イヤホン本体１を介して、イヤホン本体１を保持する耳に直接伝播されるため、不快な雑音として聞こえてしまう。
さらに、挿入型ステレオイヤホンでは、弾性のあるイヤーピース２によって、イヤホン本体１と外耳道の密閉性も高められるので、さらに大きな雑音として聞こえてしまう。
特に、イヤホン本体１を耳に装着した状態でのコード３による大きな雑音発生は、コード３が服や顔などとこすれた場合や、弛んだコード３が手や荷物に引っかかり、コード３が引っ張られた場合であり、意図せず大きな雑音として聞こえてくるため、非常に不快で有り、また快適な音楽視聴を妨げている。
このような課題に対して、イヤホン本体１を耳装着時に、上記のような、こすれ音や、コード３が引っ張られても、大きな雑音として聞こえないように、イヤホン本体１に伝わる振動を、イヤホン本体１に伝わる前に大幅に減衰させるため、振動発生部からイヤホン本体１までの間に、コード３の一部分がしっかりと安定する状況を作らなければいけない。
そこで、コード３の二股部分、つまり、コード分岐４からイヤホン本体１間のコード３に、着脱可能な勘合部をもつ分離機構６を設け、図２のように、イヤホン本体１を耳に装着した際に、分離機構６の勘合部を、イヤホン本体１装着者の首後方で勘合させれば、プラグ７側のコード３や、プレーヤーの重みのため、勘合した分離機構６が、首後方をしっかり押さえつける状態となり、コード３の一部分が安定する。
このように、プラグ７とイヤホン本体１を結ぶコード３を、イヤホン本体１装着者の耳から非常に近い首後方で安定させることが出来るので、コード３と服のこすれや、弛んだコード３が手に引っかかるなど、イヤホン本体１装着者の身体前面で多く発生する振動からの雑音を大幅に軽減させることができる。
また、分離機構６は、勘合部が着脱可能であることから、図３のように、イヤホン本体１を耳に装着した後、この分離機構６を、容易に首後方で勘合させることが可能となる。
この雑音低減機構を、一体型ではなく、分離機構とすることによって、二股部分のコード３の長さを十分に取らなくても、イヤホン装着者が、ヘアースタイルを崩さず、帽子などを被ったままでも、この機構を首後方へ配置させることが可能となり、大きな効果を得ることができる。
さらに、図２のステレオイヤホン装着時における分離機構６の位置は、コード３の二股部分のイヤホン本体１側に寄っており、イヤホン本体１と分離機構６間のコード３はあまりたるみが無い状態が望ましい。しかしながら、図３のステレオイヤホン装着直前の状態における分離機構６の位置は、コード３の二股部分のほぼ中間くらいが良く、この位置にあれば、分離機構６を首後方で勘合させる際に、コード３を引っ張り、装着済みのイヤホン本体１を外してしまうことがほぼなくなる。
このように、分離機構６の最適な位置は、首後方へ配置する前と、配置した後では異なるため、分離機構６をコード３の二股部分で摺動可能とすることで、分離機構６を首後方で勘合させることを容易にさせ、分離機構６を首後方で勘合する際の不具合を軽減できる。
このとき、分離機構６の摺動性を良くするために、二股部分のコード３の太さより、分離機構６のコード貫通穴の径を、少なくとも０．３ｍｍ以上大きくすることが望ましい。
さらに、図４（ｂ）に示すように、分離機構６の一方が凸型の勘合部をもち、もう一方がＯリング型の勘合部をもち、図４（ａ）に示すように、分離機構６が勘合された状態にあるとき、その勘合部が、凸型の勘合部を中心に回転方向に可動する構造となっている。
このような可動構造を有することによって、分離機構６が首後方で勘合された状態のまま、イヤホン本体１装着者が左や右を向いても、イヤホン本体１が外れにくいという効果が得られる。
これは、図５のように、イヤホン装着者が正面を向いている場合、分離機構６と左右の耳までの距離はほぼ同じであるが、図６のように、イヤホン本体１装着者が左や右を向いた場合、分離機構６と左右の耳までの距離が変化、つまり、分離機構６と左右のイヤホン本体１までの距離も左右非対称となり、分離機構６とイヤホン本体１が離れる側のコード３はイヤホン本体１側に引っ張られ、他方のコード３は、イヤホン本体１側へ戻ってくる。
分離機構６のコード貫通穴をコード３が出入りする際、分離機構６の勘合部が可動することによって、各々の分離機構６が、コード３の出入りする方向に、分離機構６のコード貫通穴が向くように変形する。
そのため、イヤホン本体１装着者が左や右を向いた場合に、イヤホン本体１側にコード３が引っ張られても、分離機構６の勘合部が、凸部を中心に回転することで、滑らかにコード３の出し入れが行われ、コード３の引っ掛かりによるイヤホン本体１が耳から外れるという課題を軽減できる。
【００１７】
さらに、最適なコード分岐４からイヤホン本体１までのコード３の二股部分の長さＬについて検討を行った。
【００１８】
一般的なステレオイヤホンのコード３の二股部分の長さは、３５ｃｍ〜４０ｃｍ程度がもっとも多かった。
【００１９】
しかしながら、本実施例のステレオイヤホンのように、分離機構６を首後方で勘合させて使用する場合、耳から首後方を通って胸に至るため、耳と胸までの距離と、首後方を通って胸に至る場合の距離の差である約１０ｃｍは、通常のコードの二股部分の長さより余分に必要となり、４５ｃｍ〜５０ｃｍは最低限必要な長さである。
【００２０】
また、分離機構６を首後方で勘合させるためには、まず身体前面にある分離機構６を指で摘まみ、首後方まで運ぶ途中、両腕を折りたたみながら、分離機構６を運ぶ必要があるため、少なくとも、イヤホン装着者の両肩付近まで分離機構６が運ばれても良いだけのコード長が必要となる。
身長１７０ｃｍ程度の一般男性の肩幅が約４０ｃｍであり、さらに、腕の折り曲げ具合によって、肩からさらに約１０ｃｍ程度はなれたところを分離機構６が通ることから、身体の中心から考えた場合、片側３０ｃｍ、往復で６０ｃｍとなるが、イヤホン本体１は耳に装着されているため、身体の中心から耳までの距離５ｃｍ程度は短くて良いことから、５５ｃｍが最適値である。
最低限必要な長さである４５ｃｍと、最適値と考える長さが５５ｃｍであることから、最適値の前後１０ｃｍを最適範囲として、コード分岐４からイヤホン本体１までのコード３の二股部分の長さＬを、
４５ｃｍ≦Ｌ≦６５ｃｍ  （１）
に設定することが望ましい。
さらに、本実施例の分離機構６は、シリコン樹脂や、塩化ビニル樹脂などエラストマーの弾性材料であることが望ましい。
これは、勘合させた状態の分離機構６が首後方に配置されている際に、コード３がプラグ７側に引っ張られ、分離機構６が首に押し付けられる状況での痛みを軽減でき、さらに強い力でコード３をプラグ７側に引っ張った場合、分離機構６が自動的に分離されることで、首を傷つけたり、身体を引き寄せられたりしないように、安全機構として働くという効果が得られる。
【００２１】
また、本実施の形態では、分離機構６の勘合部が可動構造として、図４のような、凸部とＯリング部を備えた分離機構６を用いているが、勘合部分が可動構造を有する分離機構であればどのようなものでも良く、図７に示すように、（ａ）凹部をもつ分離機構と凸部をもつ分離機構や、（ｂ）Ｏリング部をもつ分離機構とＣリング部をもつ分離機構、さらに（ｃ）や（ｄ）のように、勘合可能な角柱状の鍵型部をもち、一方向に摺動可能な分離機構などでも良い。
【００２２】
さらに、本実施の形態では、分離機構６の勘合部が可動構造として、図４のような、凸部とＯリング部を備えた分離機構６を用いているが、勘合部として、磁石や着脱可能な接着剤を用いた構造であっても良く、また磁石や着脱可能な接着剤による接合を利用することで、勘合部分を平らにした構造であっても良い。
また、本実施の形態では、図１のように、イヤホン本体１からコード分岐４までは、左右各々１つの被覆材料で覆われた２本のコードと、コード分岐４からプラグ７までは別の１つの被覆材料で覆われた１本のコードが示されているが、コード分岐４からプラグ７までのコード３が、イヤホン本体１からコード分岐４までの２本のコード３の左右各々の被覆材料の一部が繋がった擬似的な１本のコードであっても良い。
また、本実施の形態では、二股部分を有するコード３に、図１のように、二股部分にコード分岐４を備えていてもよいが、特にコード分岐４を備えていなくても、コード分岐４からプラグ７までのコード３が、イヤホン本体１からコード分岐４までの２本のコード３の左右各々の被覆材料の一部が繋がった擬似的な１本のコードや、その他の形状であっても良い。
また、本実施の形態では、二股部分を有するコード３に、図１のように、二股部分にコードスライダー５を備えており、分離機構６を首後方に配置せずステレオイヤホンを使用する場合、コード３の二股部分が通常のコードより長いので、このコードスライダー５を二股部分の中間地点まで持ち上げることで、コード３の二股部分がばらけないで使用できるという効果が得られる。
しかしながら、特にコードスライダー５を備えていない構成であっても良く、本実施の形態の分離機構６を勘合した状態を、コードスライダー５の代替として使用しても良い。
また、本実施の形態では、プラグ７として、図１のように、プラグ先端とコードブッシュ部が９０度に曲がっているＬ型プラグを示しているが、プラグ先端とコードブッシュ部が直線状であるストレートプラグや、その他の形状であっても良い。
【産業上の利用可能性】
【００２３】
本発明によれば、簡素な構造で、装着作業性も良く、ステレオイヤホン装着時の衣服とコードの摩擦による雑音を低減させることができ、装着時や装着中もイヤホン本体が外れにくいので、ステレオイヤホンに有用である。
【図面の簡単な説明】
【００２４】
【図１】本発明の第１の実施の形態における着脱可能な分離機構を備えたステレオイヤホンの一例を示す概略図
【図２】本発明の第１の実施の形態におけるステレオイヤホン装着時の一例を示す概略図
【図３】本発明の第１の実施の形態における装着直前のステレオイヤホンの一例を示す概略図
【図４】本発明の第１の実施の形態における着脱可能な分離機構の一例を示す概略図
【図５】本発明の第１の実施の形態におけるステレオイヤホン装着時の一例を示す概略図
【図６】本発明の第１の実施の形態におけるステレオイヤホン装着時の一例を示す概略図
【図７】本発明の第１の実施の形態における他の着脱可能な分離機構の一例を示す概略図
【図８】従来の一体型コードスライダーを示す概略図
【図９】従来の着脱可能な結合器を示す概略図
【符号の説明】
【００２５】
１    イヤホン本体
２    イヤーピース
３    コード
４    コード分岐
５    コードスライダー
６    分離機構
７    プラグ
１００    勘合部をもつ分離機構（Ｏリング型）
１０１    勘合部をもつ分離機構（凸型）
１０２    勘合部をもつ分離機構（凹型）
１０３    勘合部をもつ分離機構（凸型）
１０４    勘合部をもつ分離機構（Ｏリング型）
１０５    勘合部をもつ分離機構（Ｃリング型）
１０６    勘合部をもつ分離機構（鍵型）
１０７    勘合部をもつ分離機構（鍵型）
２００    一体型コードスライダー
２０１    着脱可能な固定器具
【図１】
2010252132.tif 000003
【図２】
2010252132.tif 000004
【図３】
2010252132.tif 000005
【図４】
2010252132.tif 000006
【図５】
2010252132.tif 000007
【図６】
2010252132.tif 000008
【図７】
2010252132.tif 000009
【図８】
2010252132.tif 000010
【図９】
2010252132.tif 000011